(57)【要約】【課題】傾斜させて設置しても、音質と防塵性能とを確保できるグリルネット及び電子機器を提供する。【解決手段】グリルネット３は、基板３１に複数の貫通孔３２を有し、貫通孔３２は、基板の面３１ａに対して、垂直以外の傾斜角度Ａを有して形成されている。また、電子機器は、グリルネット３と、音を出力するスピーカー４と、を備え、グリルネット３は、貫通孔３２の貫通方向がスピーカー４の出力方向と略同方向となるように設置されている。【選択図】図２
2013187669.tif 000002
【特許請求の範囲】
【請求項１】
板状部材に複数の貫通孔を有するグリルネットであって、
前記貫通孔は、前記板状部材の面に対して、垂直以外の傾斜角度を有して形成されていることを特徴とするグリルネット。
【請求項２】
請求項１に記載のグリルネットと、音を出力するスピーカーと、を備え、
前記グリルネットは、前記貫通孔の貫通方向が前記スピーカーの出力方向と略同方向となるように設置されていることを特徴とする電子機器。
【請求項３】
請求項２に記載の電子機器であって、
リモートコントローラーからの光を受光する受光部を備え、
前記受光部の光が入射する側に前記グリルネットが設置されていることを特徴とする電子機器。
【請求項４】
請求項２または請求項３に記載の電子機器であって、
光源からの光を画像情報により変調する光変調装置と、
前記光変調装置で変調された光を投写する投写レンズと、を備えるプロジェクターであることを特徴とする電子機器。
【発明の詳細な説明】
【技術分野】
【０００１】
本発明は、グリルネット、及びグリルネットを備える電子機器に関する。
【背景技術】
【０００２】
電子機器としてのプロジェクターは、接続された例えばＤＶＤ（Digital Versatile Disk）プレーヤーからの画像を、投写レンズを介して拡大投写することや、ＤＶＤプレーヤーからの音声を、スピーカーを介して出力することができる。このスピーカーの前面には、スピーカーを保護すると共に音声を前方に出力させるグリルネットが設置されている。また、このグリルネットは、外装筺体と共にプロジェクターの外装を構成し、プロジェクターの外観デザインの一部となっている。
【０００３】
図４は、従来のグリルネット８をスピーカー９の前面に設置した概略断面図である。詳細には、図４では、電子機器６に備えるスピーカー９の出力方向が、水平方向（紙面の左方向）となっている。そして、グリルネット８は、垂直方向（紙面の上方向）ではなく、外装筺体７に合わせるように傾斜して設置されている。なお、グリルネット８には複数の貫通孔８２が、板状の基板８１の面８１ａに対して垂直方向に開いている。
【０００４】
特許文献１に開示されるスピーカーのグリルネットは、板状の金属部材に対して、表裏面のずれた位置からエッチングを行い、両側からのエッチングにより貫通孔を形成することが開示されている。これにより、音質の確保と、防塵性の確保ができるとしている。
【先行技術文献】
【特許文献】
【０００５】
【特許文献１】特開２０１０−１１４８０６号公報
【発明の概要】
【発明が解決しようとする課題】
【０００６】
図４に示すグリルネット８は、貫通孔８２が板状の基板８１の面８１ａに対して垂直方向に開いているため、傾斜して設置された場合、貫通孔８２の貫通方向と、音声の出力方向が一致していないため、音質が低下するという課題がある。また、グリルネット８が、傾斜して設置された場合、貫通孔８２の貫通方向が上方向を向くようになるため、塵埃が貫通孔８２から機器内に進入し易くなるという課題がある。特許文献１のグリルネットは、貫通孔をエッチングで形成するため、加工時間が長くなるという懸念がある。また、貫通孔の内部には、エッチングによる鋭利な部分が残るため、塵埃がこの鋭利な部分に引っ掛かり易くなるという懸念がある。
従って、傾斜させて設置しても、音質と防塵性能とを確保できるグリルネット及び電子機器が要望されていた。
【課題を解決するための手段】
【０００７】
本発明は、上述した課題の少なくとも一部を解決するためになされたものであり、以下の形態または適用例として実現することが可能である。
【０００８】
［適用例１］本適用例に係るグリルネットは、板状部材に複数の貫通孔を有するグリルネットであって、貫通孔は、板状部材の面に対して、垂直以外の傾斜角度を有して形成されていることを特徴とする。
【０００９】
このようなグリルネットによれば、例えば、電子機器の外装を構成する筺体にグリルネットを斜めに設置しても、電子機器に設置される例えばスピーカーの音声の出力方向に貫通孔の傾斜角度を合わせることができる。これにより、スピーカーから出力される音声の音質を確保することができる。また、グリルネットの設置角度に対する自由度が向上するため、電子機器のデザインの自由度を向上させることができる。
【００１０】
［適用例２］本適用例に係る電子機器は、上述したグリルネットと、音を出力するスピーカーと、を備え、グリルネットは、貫通孔の貫通方向がスピーカーの出力方向と略同方向となるように設置されていることを特徴とする。
【００１１】
このような電子機器によれば、グリルネットが、貫通孔の貫通方向（傾斜角度）をスピーカーの音（音声）の出力方向と略同方向となるように設置されることにより、グリルネットの設置角度がスピーカーの出力方向に対して垂直でない場合にも、貫通孔の開口率が低下しないため、スピーカーから出力される音質を確保することができる。また、スピーカーの出力方向が略水平の場合には、防塵性能も確保することができる。
【００１２】
［適用例３］上記適用例に係る電子機器において、リモートコントローラーからの光を受光する受光部を備え、受光部の光が入射する側にグリルネットが設置されていることが好ましい。
【００１３】
このような電子機器によれば、グリルネットが、受光部の光が入射する側に設置されることにより、スピーカーの近くに受光部がある場合等において、スピーカーと受光部とを共に覆って設置することができる。また、グリルネットが、貫通孔の貫通方向をスピーカーの出力方向と略同方向となるように設置されることにより、受光部に係る貫通孔の貫通方向もスピーカーの出力方向と略同方向となる。スピーカーの出力方向は、大抵、視聴者の方向であるため、視聴者の操作するリモートコントローラーからの光は、スピーカーの出力方向と略同方向となるように貫通孔が設けられることにより、受光部で受光され易くなる。
【００１４】
［適用例４］上記適用例に係る電子機器において、光源からの光を画像情報により変調する光変調装置と、光変調装置で変調された光を投写する投写レンズと、を備えるプロジェクターであることが好ましい。
【００１５】
このような電子機器によれば、プロジェクターに備えるスピーカーや受光部の前面に上述したグリルネットが設置されることにより、投写レンズを介して拡大投写される画像に対して、スピーカーから出力される音声の音質を確保することができる。また、プロジェクターを保管する場合、防塵性能を確保することができる。また、グリルネットの設置角度に対する自由度が向上するため、プロジェクターのデザインの自由度を向上させることができる。
【図面の簡単な説明】
【００１６】
【図１】実施形態に係るプロジェクターを示す概略斜視図。
【図２】スピーカーおよびグリルネットを含む周辺部分を示す概略断面図。
【図３】受光部およびグリルネットを含む周辺部分を示す概略断面図。
【図４】従来のグリルネットをスピーカーの前面に設置した概略断面図。
【発明を実施するための形態】
【００１７】
以下、実施形態を図面に基づいて説明する。
（実施形態）
【００１８】
図１は、実施形態に係るプロジェクター１を示す概略斜視図である。図１を参照して、本実施形態のプロジェクター１の構成および動作を簡略に説明する。
【００１９】
本実施形態のプロジェクター１は、図１に示すように、略６面体の箱型形状に形成される外装筺体２で構成されている。なお、外装筺体２の６面を、前面２０ａ、背面２０ｂ、右面２０ｃ、左面２０ｄ、上面２０ｅ、底面２０ｆとする。
【００２０】
また、本実施形態を説明する図面は、説明の便宜上、ＸＹＺ直交座標系を用いて示す。詳細には、プロジェクター１において、背面２０ｂ側から前面２０ａ側の方向をＸ軸方向（＋Ｘ方向）とする。また、Ｘ軸方向に直交してプロジェクター１の左面２０ｄ側から右面２０ｃ側の方向をＹ軸方向（＋Ｙ方向）、Ｘ軸方向およびＹ軸方向に直交する底面２０ｆ側から上面２０ｅ側の方向をＺ軸方向（＋Ｚ方向）とする。なお、＋Ｘ方向を前方向（−Ｘ方向を後方向）、＋Ｙ方向を右方向（−Ｙ方向を左方向）、＋Ｚ方向を上方向（−Ｚ方向を下方向）として、適宜使用する。
【００２１】
図１に示すように、プロジェクター１の外装筺体２は、前面２０ａにおいて、傾斜面２０１と垂直面２０２との境を通るＸＹ平面で分割されて、上方向（＋Ｚ方向）の外装筺体２を構成する上ケース２１と、下方向（−Ｚ方向）の外装筺体２を構成する下ケース２２と、背面２０ｂ側の外装筺体２を構成する背面ケース２３とを有して構成されている。
【００２２】
上ケース２１の傾斜面２０１は、垂直面２０２に対して背面２０ｂ方向に傾斜して構成されている。本実施形態では、傾斜面２０１は、底面２０ｆに対して、約６５度の傾斜角度Ｂを有している。傾斜面２０１には、傾斜面２０１の略全面を覆うように、また、傾斜面２０１に平行となるように、グリルネット３が設置されている。また、グリルネット３は、グリルネット３の面３１ａ（図２参照）と傾斜面２０１との間に段差がなくフラットな状態となるように設置されている。
【００２３】
グリルネット３に覆われる上ケース２１（傾斜面２０１）内部には、左右方向にそれぞれ１つのスピーカー４が設置されている。また、傾斜面２０１の中央部の上部には、リモートコントローラー（図示省略）からの光（赤外光）を受光する受光部５が設置されている。また、背面ケース２３の中央部には、投写レンズ１０が設置されている。なお、リモートコントローラーを以降では、リモコンと略して使用する。
【００２４】
本実施形態のプロジェクター１は、外装筺体２内部に、光源装置（図示省略）と光変調装置（図示省略）とを備えている。プロジェクター１は、ＤＶＤプレーヤー（図示省略）等と接続し、ＤＶＤプレーヤー等から出力される映像情報や音声情報を入力する。そして、光源装置から射出された光を、入力した映像情報（画像情報）に応じて光変調装置で変調し、変調された光を投写レンズ１０からスクリーン（図示省略）に拡大投写する。また、プロジェクター１は、スピーカー４を備えており、入力した音声情報に応じて音声をスピーカー４から出力させることができる。
【００２５】
図２は、スピーカー４およびグリルネット３を含む周辺部分を示す概略断面図である。詳細には、図２は、左側のスピーカー４およびグリルネット３を含む周辺部分をＸＺ平面に平行に切断し、右方向（＋Ｙ方向）から見た断面図としている。なお、図２は、説明の便宜上、寸法関係は実際とは異ならせて図示している。図２を参照して、グリルネット３の構成及び動作を説明する。
【００２６】
図２に示すように、本実施形態のスピーカー４は、いわゆるダイナミック型のスピーカーユニットを採用している。スピーカー４の振動板４１は、正面方向からの形状が矩形状をなしている。スピーカー４は、振動板４１の正面方向が前方向（＋Ｘ方向）を向くように上ケース２１に固定されている。従って、スピーカー４は、音声の出力方向が前方向（＋Ｘ方向）となるように設置されている。
【００２７】
なお、スピーカー４の固定は、上ケース２１に固定される図示省略する金属板金部材等に固定されてもよい。また、スピーカー４は、左右に１つずつ設置され、どちらも同様に構成されている。
【００２８】
本実施形態のグリルネット３は、金属板等の板状部材で構成される基板３１に、貫通孔３２が複数形成されている。本実施形態では、基板３１としてアルミニウム板を用いている。また、貫通孔３２は、基板３１の面３１ａに対して、垂直以外の傾斜角度Ａを有して形成されている。貫通孔３２の傾斜角度Ａは、本実施形態では、約６５度となっている。
【００２９】
なお、上述したように、上ケース２１の傾斜面２０１は、底面２０ｆに対して６５度の傾斜角度Ｂを有し、また、グリルネット３は、傾斜面２０１と平行に設置される。従って、形成された貫通孔３２の貫通方向は、底面２０ｆに対して略平行となる。このグリルネット３の設置により、貫通孔３２の貫通方向は、スピーカー４の出力方向と略同方向となる。
【００３０】
言い換えると、グリルネット３は、グリルネット３の設置角度（グリルネット３が設置される傾斜面２０１の角度）がスピーカー４の出力方向に対して垂直でない場合、貫通孔３２の貫通方向がスピーカー４の出力方向と略同方向となるように設置されている。
【００３１】
スピーカー４から音声情報に応じる音声が出力された場合、音声は、スピーカー４の出力方向となる前方向（＋Ｘ方向）に主に出力される。出力された音声は、グリルネット３の貫通孔３２からグリルネット３の外部（プロジェクター１の外部）に出力される。このとき、貫通孔３２の貫通方向が、スピーカー４の出力方向と同方向に形成されているため、出力方向に対する貫通孔３２の開口率が低下しない。このため、スピーカー４から出力される音声は、スピーカー４とグリルネット３の間の空間内にこもらずに、グリルネット３の外部に出力される。
【００３２】
また、グリルネット３は、貫通孔３２の貫通方向が、本実施形態では、水平方向となっているため、上方向から下方向に移動する塵埃に対し、貫通孔３２から外装筺体２内部に侵入することを防止することができる。
【００３３】
図３は、受光部５およびグリルネット３を含む周辺部分を示す概略断面図である。詳細には、図３は、受光部５およびグリルネット３を含む周辺部分をＸＺ平面に平行に切断し、右方向（＋Ｙ方向）から見た断面図としている。なお、図３は、説明の便宜上、寸法関係は実際とは異ならせて図示している。図３を参照して、受光部５に対するグリルネット３の動作を説明する。
【００３４】
受光部５は、プロジェクター１の動作を指示するためのリモコンからの光を受光するものである。受光部５は、受光素子５２が基板５１に実装されて、上ケース２１に固定されている。そして、受光部５は、受光素子５２に光が入射する側となる前面側がグリルネット３に覆われている。
【００３５】
プロジェクター１の前方向（＋Ｘ方向）に位置する視聴者が、リモコンを操作した場合、リモコンから出力された光（赤外光）は、グリルネット３の貫通孔３２を通過して受光素子５２に入射する。このとき、グリルネット３は、貫通孔３２の貫通方向が、本実施形態では、水平方向となっているため、出力された光を貫通孔３２の開口率で阻害することなく通過させることができる。
【００３６】
上述した実施形態によれば、以下の効果が得られる。
本実施形態のグリルネット３によれば、貫通孔３２は、基板３１の面３１ａに対して、垂直以外の傾斜角度Ａを有して形成されている。このため、プロジェクター１の外装筺体２にグリルネット３を傾斜させて設置しても、外装筺体２（上ケース２１）に設置されるスピーカー４の音声の出力方向に貫通孔３２の傾斜角度Ａ（貫通方向）を合わせることができる。これにより、スピーカー４から出力される音声の音質を確保することができる。
【００３７】
本実施形態のプロジェクター１によれば、グリルネット３と、音声を出力するスピーカー４と、を備え、グリルネット３は、貫通孔３２の貫通方向がスピーカー４の出力方向と略同方向となるように設置されている。このため、本実施形態のように、グリルネット３の設置角度がスピーカー４の音声の出力方向に対して垂直でない場合にも、貫通孔３２の開口率が低下しないため、スピーカー４から出力される音質を確保することができる。また、スピーカー４の出力方向が略水平の場合には、防塵性能も確保することができる。
【００３８】
本実施形態のプロジェクター１によれば、リモコンからの光を受光する受光部５を備え、受光部５の光（赤外光）が入射する側にグリルネット３が設置されている。また、グリルネット３が、貫通孔３２の貫通方向をスピーカー４の出力方向と略同方向となるように設置されることにより、受光部５に係る貫通孔３２の貫通方向もスピーカー４の出力方向と略同方向となる。スピーカー４の出力方向は、視聴者が位置する方向であり、視聴者の操作するリモコンから出力された光（赤外光）は、スピーカー４の出力方向と略同方向（水平方向）となるように貫通孔３２が設けられることにより、出力された光を貫通孔３２の開口率で阻害することなく通過させることができ、受光部５（受光素子５２）で受光され易くなる。
【００３９】
本実施形態のプロジェクター１によれば、スピーカー４や受光部５の前面に、本実施形態のグリルネット３が設置されることにより、投写レンズ１０を介して拡大投写される画像に対して、スピーカー４から出力される音声の音質を確保することができる。また、プロジェクター１を保管する場合、防塵性能を確保することができる。また、グリルネット３の設置角度に対する自由度が向上するため、プロジェクター１のデザインの自由度を向上させることができる。
【００４０】
なお、上述した実施形態は、その要旨を逸脱しない範囲において種々の変更や改良等を加えて実施することが可能である。変形例を以下に述べる。
【００４１】
前記実施形態のグリルネット３は、底面２０ｆに対して、約６５度の傾斜角度Ｂで設置され、貫通孔３２の傾斜角度Ａは、スピーカー４の出力方向と略同方向となるように、基板３１の面３１ａに対して約６５度で形成されている。しかし、角度に関して、これに限定されず、グリルネット３の設置角度とスピーカー４の出力方向とにより、適宜変更することができる。
【００４２】
前記実施形態のグリルネット３は、プロジェクター１に設置されている。しかし、プロジェクターには限られず、プロジェクター以外のスピーカーを備える電子機器に設置されてもよい。
【００４３】
前記実施形態のグリルネット３は、外装筺体２（上ケース２１）と別体で構成されている。しかし、一体で構成されてもよい。その場合、貫通孔は、グリルネットとして機能する部分の面に対して、垂直以外の傾斜角度を有して形成される等、本発明の要旨を逸脱しない範囲内で適用することができる。
【符号の説明】
【００４４】
１…プロジェクター、２…外装筺体、３…グリルネット、４…スピーカー、５…受光部、１０…投写レンズ、３１…基板、３１ａ…面、３２…貫通孔、Ａ…傾斜角度。
【図１】
2013187669.tif 000003
【図２】
2013187669.tif 000004
【図３】
2013187669.tif 000005
【図４】
2013187669.tif 000006